(57)【特許請求の範囲】
【請求項１】
荷物を載せるパレットを積層するパレットラックの棚に装着されるパレット落下防止具
を用いるパレット落下防止方法であって、
前記パレット落下防止具の表面に前後方向へ複数本の溝が形成されるとともに前記パレット落下防止具の表面及び底面が動摩擦を増す形態に形成され、前記棚の前面に当たり後方へずれないようにＬ字型の移動防止部が前記パレット落下防止具の端部に備えられ、
前記パレット落下防止具の前記複数本の溝とパレット棚の一部とを帯状の締め部材で共締めして、前記パレット落下防止具をパレット棚に取り付けることを特徴とするパレット落下防止方法。
【発明の詳細な説明】
【技術分野】
【０００１】
本発明は、地震等による建屋の揺れ、振動、傾斜によって生じるパレット棚からのパレットの落下を防止するパレット落下防止具及びパレット落下防止方法に関する。
【背景技術】
【０００２】
従来、倉庫などで用いられるパレット棚にはパレットに載った物品が積載されているが、地震の際には、パレットがパレット棚からずり落ちる危険性が指摘されている。
【０００３】
パレットの落下を防止するために、例えば特許文献１に開示される収納機ではパレットの出入り口に扉を設ける構造が開示されている。
【０００４】
また、特許文献２では、パレット棚に所定の構造の落下防止装置を取り付ける発明が開示されている。
【先行技術文献】
【特許文献】
【０００５】
【特許文献１】特開平９−２６１３号公報
【特許文献２】特開２０１３−２３７５６９号公報
【発明の概要】
【発明が解決しようとする課題】
【０００６】
しかしながら、特許文献１に開示されるパレット落下を防止する収納棚は棚自身を大掛かりに変更する必要があり、既存のパレット棚への適用は困難である。また、特許文献２に開示されるパレット落下防止用ストッパー体は、パレットの大きさに匹敵する用具を用いるので、費用の点および実装の手間の点で難点が有る。
【課題を解決するための手段】
【０００７】
この発明の目的は、上述した事情に鑑みなされたもので、既存のパレット棚へ個別に簡易な設置ができるパレット落下防止具を提供することである。
【０００８】
また、この発明の別の目的は、適用が簡便で、かつ確実にパレットの落下を防止できるパレット落下防止方法を提供することである。
【０００９】
上述した課題を解決し目的を達成するためのこの発明に係わるパレット落下防止方法
は、荷物を載せるパレットを積層するパレットラックの棚に装着されるパレット落下防止具を用いるパレット落下防止方法であって、前記パレット落下防止具の表面に前後方向へ複数本の溝が形成されるとともに前記パレット落下防止具の表面及び底面が動摩擦を増す形態に形成され、前記棚の前面に当たり後方へずれないようにＬ字型の移動防止部が前記パレット落下防止具の端部に備えられ、前記パレット落下防止具の前記複数本の溝とパレット棚の一部とを帯状の締め部材で共締めして、前記パレット落下防止具をパレット棚に取り付けることを特徴とする。
【発明の効果】
【００１３】
この発明によれば、既存のパレット棚にに容易に設置できるパレット落下防止具を提供することができる。
【００１４】
また、この発明によれば、また、簡便にパレットの落下を防止するパレット落下防止方法を提供することができる。
【図面の簡単な説明】
【００１５】
【図１】本発明に掛かるパレット落下防止具の平面図である。
【図２】本発明に掛かるパレット落下防止具の側面図である。
【図３】図２のＡの部分の拡大図である。
【図４】本発明に掛かるパレット落下防止具をパレット棚の一部へ共締めで取り付ける様子を示す説明図である。
【発明を実施するための形態】
【００１６】
以下に図面を用いて本発明の実施例を説明する。図１は、本発明に掛かるパレット落下防止具の平面図である。図２は、本発明に掛かるパレット落下防止具の側面図である。図３は図２のＡの部分の拡大図である。図４は、本発明に掛かるパレット落下防止具をパレット棚の一部へ共締めで取り付ける様子を示す説明図である。
【００１７】
本発明のパレット落下防止具は、パレットの落下を防止したいパレット棚等に装着される。図１は、倉庫に設置されるパレット棚で使われるパレット落下防止具の形態を示している。
【００１８】
パレット落下防止具は軟質ＰＶＣなどを押し出し成形で勢作される。材料は軟質ＰＶＣに限らずゴム系の適宜な材料を用いることができる。寸法は、図１においてＬ＝１１０ｍｍ、Ｗ＝１５０ｍｍとしたが、用いるパレットの大きさや重さにより変更が可能である。
【００１９】
図1のパレット落下防止具にはその前後方向へ複数本、具体的には２本の溝２，３を形成した。これは後述する、パレット落下防止具のパレット棚への取り付けの際に使われる。この溝は必ずしも無くても良い。
【００２０】
パレット落下防止具は、パレット棚とパレットの間に敷かれて表面と底面の摩擦力でパレットの落下を防止する。表面と底面の摩擦係数を大きくするためには、パレット落下防止具の表面や底面に粘着性の物質を塗布したり、物理的な形状を工夫することが有効である。
【００２１】
図２に、パレット落下防止具の側面図を示す。パレット棚の前面に当たるパレット落下防止具の端部に設けられる高さｈのＬ字型の部分は、パレットをパレット棚へ置く際にパレットの棚への衝突に伴う衝撃の緩和と内部へのパレット落下防止具の引き込みを防止する移動防止部となる。
【００２２】
パレット落下防止具の表面には、摩擦力を増やすために凹凸がもうけられている。凹凸の形状は任意であるが、図３には凹凸の様子を示す拡大図を示す。パレット落下防止具の表眼の凹凸は前方向と後方向にの摩擦力に方向性を持たせて、パレットの搬入時は摩擦力が小さくパレットの移動が容易で、パレットが外へ飛び出す前方向には摩擦力が大きくなってパレットの移動を妨げるような形状とした。
【００２３】
図３の凹凸の形状において、寸法ａは凹凸の周期ｅの半分を超えないことが好ましい。パレットの重量は凹凸の凸部分で支えられるのでａの部分を大きくすると耐加重が減少する。
【００２４】
次に、図４を用いてこのパレット落下防止具をパレット棚へ取り付けるパレット落下防止方法の説明をする。
【００２５】
図４において、パレット落下防止具１は、パレット棚の一部６へ帯状の金属バンドなどの締め部材で共締めされる。その際、金属バンドは、パレット落下防止具に設けられた溝へ嵌めることで、横方向へのずれが防止され、バンドがパレット落下防止具から外れることを防ぐ。金属バンドの代わりにアラミド繊維で作られた帯を使うことも好ましい。
【００２６】
金属バンド等によるパレット落下防止具とパレットラックの共締めには専用の工具を使用することが好ましい。適宜に共締めした後に金属ベルトは切断されて図４の５に示すように終端処理が行われる。
【００２７】
このようにパレット落下防止具をパレット棚の一部へ共締めすることでパレット落下防止具はパレット棚と一体となり、強い摩擦力でパレットの移動を防止するので、地震の際のパレット落下を防止することができる。
【００２８】
以上のように、本発明により、構造が簡単で安価に製造可能なパレット落下防止具を提供することができる。また、本発明により、パレット落下防止具をパレット棚に共締めすることで取り付けが容易で強固にパレットの落下を防止するパレット落下防止方法を提供することができる。さらに、本発明のパレット落下防止具は、既存のパレット棚を改造することなく簡便に取り付け可能であり使用者にとって利便性が高い。
【符号の説明】
【００２９】
１  パレット落下防止具
２  左溝
３  右溝
４  金属ベルト
５  第1部材
６  パレット棚の一部
【図１】
0006389668.tif 000002
【図２】
0006389668.tif 000003
【図３】
0006389668.tif 000004
【図４】
0006389668.tif 000005